(57)【要約】      （修正有）【課題】所定期間における気体中の平均的な水銀濃度を簡易に測定できる水銀捕集用パッシブサンプラーを提供する。【解決手段】ガス状水銀を捕集する捕集層１８と、捕集層を収納する収納空間１２を形成し、収納空間を外部に連通させる開口１３を形成した収納容器１１とを備える、水銀捕集用パッシブサンプラー１。収納容器の開口を部分的に覆う位置に着脱可能に取り付けられる測定用キャップ２２をさらに備え、測定用キャップは、収納容器の開口に面する位置に開口を形成する。測定用キャップの開口２３の外縁２４は、平面視で、収納容器の開口の外縁１６よりも内側に位置する。【選択図】図１
2020139740.tif 000002
【特許請求の範囲】
【請求項１】
ガス状水銀を捕集する捕集層と、
前記捕集層を収納する収納空間を形成し、前記収納空間を外部に連通させる開口を形成した収納容器と、
を備える、水銀捕集用パッシブサンプラー。
【請求項２】
前記収納容器の前記開口を部分的に覆う位置に着脱可能に取り付けられる測定用キャップをさらに備え、
前記測定用キャップは、前記収納容器の前記開口に面する位置に開口を形成する、請求項１に記載の水銀捕集用パッシブサンプラー。
【請求項３】
前記測定用キャップの前記開口の外縁は、平面視で、前記収納容器の前記開口の外縁よりも内側に位置する、請求項２に記載の水銀捕集用パッシブサンプラー。
【請求項４】
前記測定用キャップと交換可能な搬送用キャップをさらに備え、
前記搬送用キャップは、前記収納容器の前記開口の全体を覆う位置に着脱可能に取り付けられる、請求項２又は３に記載の水銀捕集用パッシブサンプラー。
【請求項５】
線状部材を引っ掛けるための引っ掛け部をさらに備える、請求項１から４のいずれか一項に記載の水銀捕集用パッシブサンプラー。
【請求項６】
前記収納容器は、有底筒状に形成され、
前記引っ掛け部は、前記収納容器の外側面に設けられる、請求項５に記載の水銀捕集用パッシブサンプラー。
【請求項７】
耐熱温度が１５０℃以上の材料により構成された、請求項１から６のいずれか一項に記載の水銀捕集用パッシブサンプラー。
【請求項８】
前記収納空間において前記捕集層よりも前記収納容器の前記開口側に積層された拡散板をさらに備え、
前記拡散板は、１つ又は複数の貫通孔を形成する、請求項１から７のいずれか一項に記載の水銀捕集用パッシブサンプラー。
【請求項９】
前記収納空間において前記拡散板よりも前記収納容器の前記開口側に積層されたフィルタをさらに備え、
前記フィルタは、繊維状部材により構成される、請求項８に記載の水銀捕集用パッシブサンプラー。
【発明の詳細な説明】
【技術分野】
【０００１】
本発明は、水銀捕集用パッシブサンプラーに関する。
【背景技術】
【０００２】
大気汚染防止法が改正され、排ガス中の水銀について排出濃度の規制が始まった。事業者は、年間に規定された回数以上、煙道を通じて排出される排ガスの水銀濃度の自主測定を行い、行政に届出する必要がある。行政としても事業所からの排ガスの水銀濃度を把握し、水銀濃度が規制値を超過する場合には改善勧告等の措置を取らなければならない。
【０００３】
大気汚染防止法で規定されている排ガス中の水銀濃度の計測方法として、例えば、「湿式吸収−還元気化原子吸光分析法」や「金アマルガム捕集−加熱気化原子吸光分析法」等が用いられている。
【０００４】
水銀濃度の測定のための水銀の捕集方法（試料採取方法）は、排ガスをポンプで吸引し採取する方法であり、専門性を必要とし労力もかかる。さらに、ある特定の時間帯のバッチ式の測定であり、測定された値が測定施設での排ガスの平均的な水銀濃度かどうかの判別は難しい。
【０００５】
従って、煙道中の排ガスを自動的に、かつ、連続的に測定できる計測器が求められる。これに対して、排ガス中の水銀を連続的に測定可能な連続測定器が開発されている（例えば特許文献１参照）。
【先行技術文献】
【特許文献】
【０００６】
【特許文献１】特開２００２−８２１１０号公報
【発明の概要】
【発明が解決しようとする課題】
【０００７】
しかしながら、連続測定器によって連続測定が可能となってきているものの、連続測定器が高価なことや維持管理に手間がかかること等から、連続測定器の導入は、事業者にとって大きな負担となり得る。このため、事業者において、連続測定器の導入が限定されている。
【０００８】
従って、所定期間中の（中長期的な）排ガスにおける平均的な水銀濃度を簡易に測定できる方法が求められている。本発明の目的は、前記課題を解決することにあって、所定期間における気体中の平均的な水銀濃度を簡易に測定できる装置を提供することにある。
【課題を解決するための手段】
【０００９】
上記目的を達成するために、本発明の一態様の水銀捕集用パッシブサンプラーは、ガス状水銀を捕集する捕集層と、前記捕集層を収納する収納空間を形成し、前記収納空間を外部に連通させる開口を形成した収納容器と、を備える。
【発明の効果】
【００１０】
本発明に係る水銀捕集用パッシブサンプラーによれば、所定期間における気体中の平均的な水銀濃度を簡易に測定できる。
【図面の簡単な説明】
【００１１】
【図１】本発明の一実施形態に係るパッシブサンプラーの分解した状態を示す断面図
【図２】本発明の一実施形態に係るパッシブサンプラーの断面図
【図３】本発明の一実施形態に係るパッシブサンプラーの斜視図
【図４】本発明の一実施形態に係るパッシブサンプラーの断面図
【図５】本発明の一実施形態に係るパッシブサンプラーの斜視図
【図６】本発明の一実施形態に係るパッシブサンプラーの使用例を示す図
【図７】本発明の一実施形態に係る実施例のガス処理フローを示す図
【図８】本発明の一実施形態に係る実験結果を示す図
【発明を実施するための形態】
【００１２】
本発明の第１態様によれば、ガス状水銀を捕集する捕集層と、前記捕集層を収納する収納空間を形成し、前記収納空間を外部に連通させる開口を形成した収納容器と、を備える、水銀捕集用パッシブサンプラーを提供する。
【００１３】
本発明の第２態様によれば、前記収納容器の前記開口を部分的に覆う位置に着脱可能に取り付けられる測定用キャップをさらに備え、前記測定用キャップは、前記収納容器の前記開口に面する位置に開口を形成する、第１態様に記載の水銀捕集用パッシブサンプラーを提供する。
【００１４】
本発明の第３態様によれば、前記測定用キャップの前記開口の外縁は、平面視で、前記収納容器の前記開口の外縁よりも内側に位置する、第２態様に記載の水銀捕集用パッシブサンプラーを提供する。
【００１５】
本発明の第４態様によれば、前記測定用キャップと交換可能な搬送用キャップをさらに備え、前記搬送用キャップは、前記収納容器の前記開口の全体を覆う位置に着脱可能に取り付けられる、第２態様又は第３態様に記載の水銀捕集用パッシブサンプラーを提供する。
【００１６】
本発明の第５態様によれば、線状部材を引っ掛けるための引っ掛け部をさらに備える、第１態様から第４態様のいずれか１つに記載の水銀捕集用パッシブサンプラーを提供する。
【００１７】
本発明の第６態様によれば、前記収納容器は、有底筒状に形成され、前記引っ掛け部は、前記収納容器の外側面に設けられる、第５態様に記載の水銀捕集用パッシブサンプラーを提供する。
【００１８】
本発明の第７態様によれば、耐熱温度が１５０℃以上の材料により構成された、第１態様から第６態様のいずれか１つに記載の水銀捕集用パッシブサンプラーを提供する。
【００１９】
本発明の第８態様によれば、前記収納空間において前記捕集層よりも前記収納容器の前記開口側に積層された拡散板をさらに備え、前記拡散板は、１つ又は複数の貫通孔を形成する、第１態様から第７態様のいずれか１つに記載の水銀捕集用パッシブサンプラーを提供する。
【００２０】
本発明の第９態様によれば、前記収納空間において前記拡散板よりも前記収納容器の前記開口側に積層されたフィルタをさらに備え、前記フィルタは、繊維状部材により構成される、第８態様に記載の水銀捕集用パッシブサンプラーを提供する。
【００２１】
（実施形態）
以下、本発明に係る実施形態について、図面を参照しながら説明する。なお、本発明は、以下の実施形態に限定されるものではない。
【００２２】
図１〜図３を参照して、本発明の一実施形態に係るパッシブサンプラー１について説明する。図１は、パッシブサンプラー１の分解した状態を示す断面図である。図２は、パッシブサンプラー１の取り付けた状態を示す断面図である。図３は、パッシブサンプラー１の斜視図である。
【００２３】
パッシブサンプラー１は、気体中に含まれる水銀を捕集するための装置としての水銀捕集用パッシブサンプラーである。パッシブサンプラー１によって捕集する水銀は、ガス状水銀である。パッシブサンプラー１は、吸引ポンプ等を使用せず、分子拡散現象を用いてガス状水銀を捕集する装置である。パッシブサンプラー１によって捕集した水銀は、例えば加熱気化原子吸光分析法により測定する。本実施形態のパッシブサンプラー１では、事業所（焼却施設等）の煙道５（図６）中に配置されて使用される。
【００２４】
図１及び図２に示すように、パッシブサンプラー１は、収納容器１１と、捕集層１８と、拡散板１９と、フィルタ２１と、測定用キャップ２２と、引っ掛け部２６（図３）とを備える。
【００２５】
収納容器１１は、内側に収納空間１２を形成する容器である。本実施形態の収納容器１１は、有底筒状に形成されて、収納空間１２を外部に連通させる開口１３を形成する。本実施形態の収納容器１１は、円板状の底部１４と、底部１４から筒状に延びる筒状部１５とを有する。筒状部１５の外側面には、ねじ山１７が形成される。収納容器１１は、例えば鉄等で構成される。
【００２６】
捕集層１８は、ガス状水銀を捕集する層（捕集剤）である。捕集層１８は、例えば、珪藻土に金属（金等）を蒸着させて形成される。本実施形態では、捕集層１８による水銀の捕集は、捕集層１８に含まれる金属と水銀とが反応してアマルガムを形成することで行われる。
【００２７】
捕集層１８は、収納容器１１内の収納空間１２に収納される。捕集層１８は、収納空間１２において最下層に配置され、底部１４と接触する（図２）。
【００２８】
拡散板１９は、捕集層１８にガス状水銀を拡散させる板である。具体的には、拡散板１９は、捕集層１８に捕集されるガス状水銀の拡散速度を制御する。本実施形態の拡散板１９は、複数の貫通孔２０を形成する。拡散板１９は、例えば、ステンレス板である。貫通孔２０の孔径は、例えば、望まれるガス状水銀の拡散速度に応じて決定される。
【００２９】
拡散板１９は、収納空間１２において、捕集層１８の上に積層される（図２）。すなわち、拡散板１９は、捕集層１８よりも収納容器１１の開口１３側に積層される。
【００３０】
フィルタ２１は、気体中に含まれる固体粒子を捕捉して収納空間１２に入り込むのを防止する部材である。本実施形態のフィルタ２１は、繊維状部材により構成される。ここで、固体粒子は、例えば、排ガス中に含まれる煤塵や粉塵等である。フィルタ２１は、例えば石英ウール等である。フィルタ２１の濾過特性（繊維径や充填密度等の物性）は、例えば、パッシブサンプラー１が設けられる環境に応じて決定される。
【００３１】
フィルタ２１は、収納空間１２において、拡散板１９の上に積層される（図２）。すなわち、フィルタ２１は、拡散板１９よりも収納容器１１の開口１３側に積層される。
【００３２】
測定用キャップ２２は、水銀の測定時に用いられるキャップである。測定用キャップ２２は、収納容器１１の開口１３を部分的に覆う位置に着脱可能に取り付けられる。本実施形態では、測定用キャップ２２の内側には、ねじ山２５（図１）が形成される。これにより、測定用キャップ２２は、収納容器１１のねじ山１７に対して螺合して取り付けられる。これにより、スパナ等の工具を用いずに、収納容器１１に対して測定用キャップ２２を容易に着脱できる。
【００３３】
測定用キャップ２２は、収納容器１１の開口１３に面する位置に（中央部に）開口２３を形成する。開口２３は、水銀をフィルタ２１に通すための穴である。開口２３の外縁２４は、開口１３の外縁１６よりも面方向内側に位置する。すなわち、外縁２４は、平面視（図示略）で外縁１６よりも内側に位置する。これにより、測定用キャップ２２は、開口２３を介して水銀を通しつつ、フィルタ２１を確実に押さえて脱落を防止することができる。測定用キャップ２２は、例えば鉄等で構成される。
【００３４】
引っ掛け部２６（図３）は、線状部材３（図６）を引っ掛けるための部材である。線状部材３は、パッシブサンプラー１を吊り下げる部材である。線状部材３は、例えば、ワイヤや紐等の細長い部材である。本実施形態の引っ掛け部２６は、収納容器１１の外側面Ｓ１に設けられる。引っ掛け部２６は、リング状に形成される。すなわち、引っ掛け部２６は、線状部材３を引っ掛けるための開口２７を、収納容器１１（外側面Ｓ１）との間に形成する。引っ掛け部２６は、例えば鉄等で構成される。
【００３５】
本実施形態のパッシブサンプラー１は、測定用キャップ２２と交換可能なキャップとして搬送用キャップ２８を備える。測定用キャップ２２に代えて、搬送用キャップ２８を収納容器１１に取り付けた状態を図４及び図５に示す。図４は、搬送用キャップ２８を収納容器１１に取り付けた状態を示すパッシブサンプラー１の断面図である。図５は、搬送用キャップ２８を収納容器１１に取り付けた状態を示すパッシブサンプラー１の斜視図である。
【００３６】
搬送用キャップ２８は、パッシブサンプラー１の搬送（水銀の測定前後）に用いられるキャップである。搬送用キャップ２８は、測定用キャップ２２と交換可能に取り付けられる。
【００３７】
図４及び図５に示すように、搬送用キャップ２８は、収納容器１１の開口１３の全体を覆う位置に取り付けられる。すなわち、搬送用キャップ２８は、開口１３に面する位置に開口を有しない。これにより、収納空間１２（図１）を封止することができるため、収納空間１２に流体等が出入りすることを防止することができる。
【００３８】
搬送用キャップ２８は、収納容器１１に対して着脱可能に取り付けられる。本実施形態では、搬送用キャップ２８の内側には、ねじ山２９が形成される。これにより、搬送用キャップ２８は、収納容器１１のねじ山１７に対して螺合して取り付けられる。これにより、スパナ等の工具を用いずに、収納容器１１に対して搬送用キャップ２８を容易に着脱できる。
【００３９】
搬送用キャップ２８には、収納容器１１に対して密栓して取り付けられるように、内側に、例えばシール部材（パッキン）が設けられる。
【００４０】
搬送用キャップ２８及び収納容器１１は、光を透過しない材料（遮光性を有する材料）で構成される。これにより、捕集層１８の材料特性が光によって変化することを防止できる。
【００４１】
本実施形態では、上述したパッシブサンプラー１の構成部材の材質は、いずれも、耐熱温度１５０℃以上である。これにより、煙道５内の高温下でもパッシブサンプラー１を使用することができる。ここで、耐熱温度とは、例えば、部材の形状が維持可能な温度（最高温度）である。
【００４２】
本実施形態では、パッシブサンプラー１における捕集層１８以外の構成部材（収納容器１１、拡散板１９、フィルタ２１、測定用キャップ２２、及び引っ掛け部２６）は、水銀と反応しない材料で構成される。
【００４３】
図６は、パッシブサンプラー１の使用例を示す図である。図６に示すように、パッシブサンプラー１は、煙道外壁４を有する煙道５内に配置される。パッシブサンプラー１は、煙道５を通じて排出される排ガスに関する水銀の捕集を行う。煙道５内では、煤塵等の固体粒子を含む気体（排ガス）が上方に流れる。煙道５内で気体が流れる方向を、気流方向Ｄ１とする。
【００４４】
線状部材３を引っ掛け部２６に引っ掛けることで、煙道５の上端からユーザ（作業員）は、線状部材２を持ってパッシブサンプラー１を煙道５内に配置できる。パッシブサンプラー１は、測定用キャップ２２の開口２３の開口面Ｓ２が煙道５内の気流方向Ｄ１に沿うように配置される。これにより、固体粒子が測定用キャップ２２の開口２３に直接入りにくくしつつ、水銀を捕集することができる。
【００４５】
パッシブサンプラー１を用いることによって、低コストで水銀濃度の測定を行うことができる。また、パッシブサンプラー１を小型・軽量化することで、煙道５内等により容易に配置することができる。このため、例えば連続測定器を設置できない施設等においても水銀濃度の測定を行うことができる。また、水銀捕集時の作業はパッシブサンプラー１の設置・回収するだけでよいので、専門的技術を有せずとも容易に取り扱うことができる。また、水銀捕集後は、既存の原子吸光分析装置等を用いて短時間かつ容易に分析できる。また、捕集層１８を変更することによって、単位時間当たりの水銀の捕集量を調整できる。このため、任意の水銀濃度の気体において、任意の期間における平均的な水銀濃度を測定できる。また、従来のバッチ式の測定で基準値以上の測定値が測定されたときに、パッシブサンプラー１を用いることで、当該測定値が定常的な濃度かどうかを判断することができる。
【００４６】
本実施形態に係る水銀捕集用パッシブサンプラー１によれば、以下の効果を奏することができる。
【００４７】
本実施形態に係る水銀捕集用パッシブサンプラー１は、ガス状水銀を捕集する捕集層１８と、捕集層１８を収納する収納空間１２を形成し、収納空間１２を外部に連通させる開口１３を形成した収納容器１１とを備える。この水銀捕集用パッシブサンプラー１によれば、気体中に含まれる水銀を、ポンプ等を用いずに簡易に捕集できる。さらに、捕集層１８を気体中に所定期間さらすことで、所定期間中の気体中に含まれる水銀を捕集できる。このため、所定期間における気体中の平均的な水銀濃度を簡易に測定できる。
【００４８】
また、本実施形態に係る水銀捕集用パッシブサンプラー１は、収納容器１１の開口１３を部分的に覆う位置に着脱可能に取り付けられる測定用キャップ２２をさらに備える。測定用キャップ２２は、収納容器１１の開口１３に面する位置に開口２３を形成する。この水銀捕集用パッシブサンプラー１によれば、測定用キャップ２２によって、水銀が開口２３を介して収納容器１１に進入可能としつつ、収納容器１１に収納される捕集層１８が外部に脱落することを防止できる。このため、様々な姿勢でパッシブサンプラー１を配置することができる。
【００４９】
また、本実施形態に係る水銀捕集用パッシブサンプラー１において、測定用キャップ２２の開口２３の外縁２４は、平面視で、収納容器１１の開口１３の外縁１６よりも内側に位置する。この水銀捕集用パッシブサンプラー１によれば、収納容器１１に収納される捕集層１８が外部に脱落することをより確実に防止できる。
【００５０】
また、本実施形態に係る水銀捕集用パッシブサンプラー１は、測定用キャップ２２と交換可能な搬送用キャップ２８をさらに備える。搬送用キャップ２８は、収納容器１１の開口１３の全体を覆う位置に着脱可能に取り付けられる。この水銀捕集用パッシブサンプラー１によれば、搬送用キャップ２８によって収納容器１１の開口１３全体を覆うことで、収納容器１１内において遮光状態を保つことができる。このため、捕集層１８の材料特性が変化することを防止することができる。さらに、収納容器１１を密閉することができるため、容器内への流体等の出入りを防止することができる。このため、水銀測定時には測定用キャップ２２を取り付けて、水銀測定の前後では搬送用キャップ２８を取り付けることで、より精確な水銀測定を行うことができる。
【００５１】
また、本実施形態に係る水銀捕集用パッシブサンプラー１は、線状部材３を引っ掛けるための引っ掛け部２６をさらに備える。この水銀捕集用パッシブサンプラー１によれば、線状部材３を引っ掛け部２６に引っ掛けることで、パッシブサンプラー１を吊り下げて保持することができる。このため、例えば煙道５等の内部にユーザが入ることなく、煙道５内における排ガス中の水銀を測定できる。
【００５２】
また、本実施形態に係る水銀捕集用パッシブサンプラー１において、収納容器１１は、有底筒状に形成され、引っ掛け部２６は、収納容器１１の外側面Ｓ１に設けられる。この水銀捕集用パッシブサンプラー１によれば、引っ掛け部２６を収納容器１１の外側面Ｓ１に設けることで、例えば煙道５内等でパッシブサンプラー１を吊り下げて保持した際、収納容器１１の開口面Ｓ２を煙道５内の排ガスの気流方向Ｄ１に沿って配置できる。このため、例えば煤塵等の固体粒子がパッシブサンプラー１内に入りにくくしつつ水銀を捕集することができる。
【００５３】
また、本実施形態に係る水銀捕集用パッシブサンプラー１は、耐熱温度が１５０℃以上の材料により構成される。この水銀捕集用パッシブサンプラー１によれば、例えば煙道５内等の高温下でもガス状水銀を測定できる。
【００５４】
また、本実施形態に係る水銀捕集用パッシブサンプラー１は、収納空間１２において捕集層１８よりも収納容器１１の開口１３側に積層された拡散板１９をさらに備える。拡散板１９は、１つ又は複数の貫通孔を形成する。この水銀捕集用パッシブサンプラー１によれば、拡散板１９によって、捕集層１８への水銀の拡散速度を調整できる。また、拡散板１９を変更することによって、単位時間当たりの水銀の捕集量を調整できる。このため、任意の水銀濃度の気体において、任意の期間における平均的な水銀濃度を測定できる。
【００５５】
また、本実施形態に係る水銀捕集用パッシブサンプラー１は、収納空間１２において拡散板１９よりも収納容器１１の開口１３側に積層されたフィルタ２１をさらに備える。フィルタ２１は、繊維状部材により構成される。この水銀捕集用パッシブサンプラー１によれば、フィルタ２１によって、固体粒子が拡散板１９側に入り込むことを防止できる。このため、拡散板１９において固体粒子の目詰まりを防止できる。
【００５６】
なお、本発明は前記実施形態に限定されるものではなく、その他種々の態様で実施できる。前記実施形態では、パッシブサンプラー１は、煙道５内に配置されるとしたが、これに限定されない。パッシブサンプラー１は、例えば、常温・常圧環境に配置されてもよい。
【００５７】
また、測定用キャップ２２は、例えば、開口２３の外縁２４周辺において収納容器１１内に向けて延びる突起を有していてもよい。測定用キャップ２２を収納容器１１に取り付けたとき、当該突起によってフィルタ２１を収納容器１１内に向けて押し付けることができるため、収納容器１１に収納される部材が外部に脱落することをより一層防止することができる。
【００５８】
また、引っ掛け部２６は、収納容器１１の外側面Ｓ１に設けられるとしたが、これに限定されない。引っ掛け部２６は、収納容器１１に設けられなくてもよく、また、例えば測定用キャップ２２や収納容器１１の底面等に設けられてもよい。
【００５９】
また、拡散板１９は、複数の貫通孔２０を形成するとしたが、ガス状水銀を拡散させる部材であればこれに限定されない。拡散板１９は、例えば繊維状部材であってもよい。
【００６０】
また、フィルタ２１は、繊維状部材により構成されるとしたが、固体粒子を分離することができればこれに限定されない。フィルタ２１は、例えば金網等であってもよい。
【００６１】
また、収納容器１１は、有底筒状に形成されて、円柱状の底部１４と、底部１４から筒状に延びる筒状部１５とを有するとしたが、収納容器１１は、捕集層１８を収納できれば他の構成であってもよい。収納容器１１は、例えば、筒状に形成されて軸方向両端部に開口１３を形成してもよい。
【００６２】
また、測定用キャップ２２及び搬送用キャップ２８は、収納容器１１に対して螺合して取り付けられるとしたが、収納容器１１に取り付けられていればこれに限定されない。測定用キャップ２２及び搬送用キャップ２８は、螺合以外の任意の取付方法で収納容器１１に取り付けられてもよい。
【００６３】
また、パッシブサンプラー１は、拡散板１９及びフィルタ２１を備えるとしたが、これに限定されない。すなわち、パッシブサンプラー１は、拡散板１９及びフィルタ２１を有しない構成であってもよい。
【００６４】
また、引っ掛け部２６は、収納容器１１（外側面Ｓ１）との間に、線状部材３を引っ掛けるための開口２７を形成するとしたが、パッシブサンプラー１を吊り下げることができる部材であれば他の構成であってもよい。引っ掛け部２６は、例えばフック状部材であってもよい。
【００６５】
また、収納容器１１にそれぞれ１枚ずつ収納した拡散板１９及びフィルタ２１について説明したが、拡散板１９及びフィルタ２１を複数組み合わせて収納容器１１に収納してもよい。
【００６６】
次に実施例１について説明する。
【００６７】
（実施例１）
実施例１において、本実施形態１のパッシブサンプラー１を用いて、水銀の測定を行った。パッシブサンプラー１において、粒子径２ｍｍの金蒸着珪藻土を石英ウールとステンレス製メッシュで梱包し、煙道に設置された測定口から耐熱性のワイヤで吊り下げて排ガスに暴露した。暴露時間は、０．５時間、１時間、２時間、３時間の４段階とし、一斉に暴露を開始し、順次回収していった。金蒸着珪藻土は、日本インスツルメンツ製水銀捕集管に充填されている粒子を取り出して使用した。暴露後の金蒸着珪藻土中の水銀の分析は、日本インスツルメンツ製水銀分析計ＷＡ−４を用いて加熱気化−原子吸光法により測定した。
【００６８】
予備試験として、常温下で捕捉したガス状水銀を観測点と同じ高温下（２００℃）に暴露し、捕捉水銀が放出しないことを確認した。また、ガラス管内に金蒸着珪藻土を充填し、強制通気させた場合の水銀捕捉率が高温下でも変化しないことを確認した。
【００６９】
図７は、使用した排ガス施設のガス処理フローを示す。図７に示すように、排ガスは、焼却炉での燃焼後、バグフィルタ（ＢＦ）により乾式集じんされた後、アンモニア接触還元式の脱硝処理後に煙突より排出される。暴露試験は煙突の中間地点で実施した。また、暴露試験地点及びバグフィルタ流入前の地点で環境省の定める過マンガン酸カリウム溶液吸収法及びフィルタ捕集法によりガス状／粒子状水銀の測定を行った。水銀の排出濃度は、１．０μｇ／Ｎｍ３、ガス処理前後の除去率は８１％で、活性炭添加−バグフィルタ捕集による除去性能としては一般的な値であり、一般廃棄物焼却施設としては一般的な排ガス性状であった。連続測定装置によるモニタリングの結果から、測定期間中の水銀濃度は一定であることを確認した。
【００７０】
図８は、暴露後の金蒸着珪藻土中の水銀量分析結果である。図８に示すように、暴露時間と共に水銀量は増加しており、高い相関性が得られた。これにより、金蒸着珪藻土を用いて、拡散を制御した容器内で排ガス内に暴露させることでパッシブサンプリングができることが示された。
【００７１】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００７２】
本発明に係る水銀捕集用パッシブサンプラーは、例えば煙道内等の気体中の水銀濃度の測定に有用である。
【符号の説明】
【００７３】
１  パッシブサンプラー
３  線状部材
４  煙道外壁
５  煙道
１１  収納容器
１２  収納空間
１３  開口
１４  底部
１５  筒状部
１６  外縁
１７  ねじ山
１８  捕集層
１９  拡散板
２０  貫通孔
２１  フィルタ
２２  測定用キャップ
２３  開口
２４  外縁
２５  ねじ山
２６  引っ掛け部
２７  開口
２８  搬送用キャップ
２９  ねじ山
Ｓ１  外側面
Ｓ２  開口面
【図１】
2020139740.tif 000003
【図２】
2020139740.tif 000004
【図３】
2020139740.tif 000005
【図４】
2020139740.tif 000006
【図５】
2020139740.tif 000007
【図６】
2020139740.tif 000008
【図７】
2020139740.tif 000009
【図８】
2020139740.tif 000010